(57)【特許請求の範囲】
【請求項１】
ネットワークに接続され、
ネットワークに接続された電源供給装置から電源の供給を受ける制御対象装置に対する監視と電源制御を行うネットワーク管理サーバであって、
前記制御対象装置の電源制御に関する情報を有する制御ポリシーデータベースと、
前記ネットワーク管理サーバとネットワークを介して接続され、前記制御対象装置の電源制御を行う電源指示制御スイッチから送信された電源制御情報を受信する受信手段と、
受信した前記電源制御情報をもとに、前記電源指示制御スイッチを特定する解析手段と、
前記制御ポリシーデータベースを参照して、電源制御を行う制御対象装置として、前記電源指示制御スイッチに対応する制御対象装置を選定し、前記制御対象装置への電源制御および監視の手順を選定する選定手段と、
選定した前記制御対象装置の利用状況を確認して前記電源制御の可否を判断する判断手段と、
前記判断手段の判断をもとに、前記選定手段が選定した前記制御対象装置の監視を行う管理手段と、
前記判断手段の判断をもとに、前記制御対象装置に対応する前記電源供給装置への電源制御の指示を行う電源制御指示手段と、
を有することを特徴とするネットワーク管理サーバ。
【請求項２】
前記制御ポリシーデータベースは、
前記電源指示制御スイッチに対応する制御対象装置に関する情報である制御対象装置情報と、
前記制御対象装置に対応する電源供給装置およびその電源制御の手順、ならびに前記制御対象装置の監視の手順に関する情報である制御手順情報と、
を有し、
前記選定手段は、前記制御対象装置情報を参照して制御対象装置を選定し、前記制御手順情報を参照して、前記制御対象装置への電源制御および監視の手順を選定する手段を有することを特徴とする請求項１記載のネットワーク管理サーバ。
【請求項３】
ネットワークに接続され、
ネットワークに接続された電源供給装置から電源の供給を受ける制御対象装置に対する監視と電源制御を行うネットワーク管理サーバであって、
前記制御対象装置の電源制御および監視制御のスケジュールに関する情報であるスケジュール情報を有する制御ポリシーデータベースと、
前記制御ポリシーデータベースのスケジュール情報を参照して、電源制御および監視を行う電源制御装置および、前記電源制御装置への電源制御および監視の手順を選定する手段を有する選定手段と、
前記スケジュール情報に基づき、前記選定手段に電源制御および監視を行う制御対象装置、および前記制御対象装置への電源制御および監視の手順を選定するように指示するスケジュール制御指示手段と、
選定した前記制御対象装置の利用状況を確認して前記電源制御の可否を判断する判断手段と、
前記判断手段の判断をもとに、前記選定手段が選定した前記制御対象装置の監視を行う管理手段と、
前記判断手段の判断をもとに、前記制御対象装置に対応する前記電源供給装置への電源制御の指示を行う電源制御指示手段と、
を有することを特徴とするネットワーク管理サーバ。
【請求項４】
前記スケジュール情報は、
電源制御を行う時間帯を示す情報である時間帯情報と、
前記時間帯情報が示す時間帯に制御を行う制御対象装置を特定する情報であるスケジュール制御対象装置情報と、
特定した前記制御対象装置への電源制御および監視の手順を示す情報であるスケジュール制御手順情報と、
を有し、
前記選定手段は、前記スケジュール制御対象装置情報を参照して制御対象装置を選定し、前記スケジュール制御手順情報を参照して、前記制御対象装置への電源制御および監視の手順を選定する手段を有することを特徴とする請求項３記載のネットワーク管理サーバ。
【請求項５】
前記ネットワーク管理サーバとネットワークを介して接続され、前記制御対象装置の電源制御を行う電源指示制御スイッチから送信された電源制御情報を受信する受信手段と、
前記電源制御情報を受信する受信手段と、
受信した前記電源制御情報をもとに、電源指示制御スイッチに対応する制御対象装置を特定する解析手段と、
をさらに有し、
前記制御ポリシーデータベースは、
前記受信手段が前記電源制御情報を受信した場合の電源制御および監視の手順に関する情報である例外処理情報を有し、
前記選定手段は、
前記受信手段が前記電源制御情報を受信した場合に、前記スケジュール制御指示手段による指示に優先して前記スケジュール情報の前記例外処理情報を参照して電源制御および監視の手順を選定する手段を有することを特徴とする請求項３記載のネットワーク管理サーバ。
【請求項６】
前記例外処理情報は、
例外処理を行う条件を示す情報である例外処理条件情報と、
例外処理を行う制御対象装置および例外処理の内容を示す情報である例外処理内容情報と、
例外処理の手順を示す情報である例外処理制御情報と、
を有し、
前記選定手段は、前記例外処理条件情報を参照して例外処理を行うか否かを判断し、前記例外処理内容情報を参照して制御対象装置を選定し、前記例外処理制御情報を参照して、前記制御対象装置への電源制御および監視の手順を選定する手段を有することを特徴とする請求項５記載のネットワーク管理サーバ。
【請求項７】
前記判断手段は、
前記制御対象装置が利用中であると判断した場合には、少なくとも利用が終了するまでは、前記制御対象装置の電源をＯＦＦにする制御を行う判断をしないことを特徴とする請求項１〜６のいずれかに記載のネットワーク管理サーバ。
【請求項８】
コンピュータを請求項１〜７のいずれかに記載のネットワーク管理サーバとして動作させるためのプログラム。
【請求項９】
請求項１〜７のいずれかに記載のネットワーク管理サーバを用いることを特徴とするネットワークおよび電源管理方法。
【請求項１０】
ネットワークに接続された制御対象装置を監視するネットワーク管理サーバと、
前記ネットワーク管理サーバとネットワークを介して接続され、前記制御対象装置に電源を供給する電源供給装置と、
前記ネットワーク管理サーバとネットワークを介して接続され、前記制御対象装置の電源制御を行う電源指示制御スイッチと、
を有し、
前記電源指示制御スイッチは、
前記制御対象装置の電源のＯＮ／ＯＦＦに関する情報である電源制御情報と、
前記電源制御情報を前記ネットワーク管理サーバに送信する送信手段と、
を有し、
前記ネットワーク管理サーバは、
前記制御対象装置の電源制御に関する情報を有する制御ポリシーデータベースと、
前記電源指示制御スイッチから送信された電源制御情報を受信する受信手段と、
受信した前記電源制御情報をもとに、前記電源指示制御スイッチを特定する解析手段と、
前記制御ポリシーデータベースを参照して、電源制御を行う制御対象装置として、前記電源指示制御スイッチに対応する制御対象装置を選定し、電源制御および監視を行う制御対象装置、および前記制御対象装置への電源制御および監視の手順を選定する選定手段と、
選定した前記制御対象装置の利用状況を確認して前記電源制御の可否を判断する判断手段と、
前記判断手段の判断をもとに、前記選定手段が選定した前記制御対象装置の監視を行う管理手段と、
前記判断手段の判断をもとに、前記制御対象装置に対応する前記電源供給装置への電源制御の指示を行う電源制御指示手段と、
を有し、
前記電源供給装置は、
前記ネットワーク管理サーバからの電源制御の指示に基づき、前記制御対象装置への電源のＯＮ／ＯＦＦを行う電源ＯＮ／ＯＦＦ手段を有することを特徴とする電源管理システム。
【請求項１１】
前記制御ポリシーデータベースは、
前記電源指示制御スイッチに対応する制御対象装置に関する情報である制御対象装置情報と、
前記制御対象装置に対応する電源供給装置およびその電源制御の手順、ならびに前記制御対象装置の監視の手順に関する情報である制御手順情報と、
を有し、
前記選定手段は、前記制御対象装置情報を参照して制御対象装置を選定し、前記制御手順情報を参照して、前記制御対象装置への電源制御および監視の手順を選定する手段を有することを特徴とする請求項１０記載の電源管理システム。
【請求項１２】
ネットワークに接続された制御対象装置を監視するネットワーク管理サーバと、
前記ネットワーク管理サーバとネットワークを介して接続され、前記制御対象装置に電源を供給する電源供給装置と、
を有し、
前記ネットワーク管理サーバは、
前記制御対象装置の電源制御および監視制御のスケジュールに関する情報であるスケジュール情報を有する制御ポリシーデータベースと、
前記制御ポリシーデータベースのスケジュール情報を参照して、電源制御および監視を行う電源制御装置および、前記電源制御装置への電源制御および監視の手順を選定する選定手段と、
前記スケジュール情報に基づき、前記選定手段に電源制御および監視を行う制御対象装置、および前記制御対象装置への電源制御および監視の手順を選定するように指示するスケジュール制御指示手段と、
選定した前記制御対象装置の利用状況を確認して前記電源制御の可否を判断する判断手段と、
前記判断手段の判断をもとに、前記選定手段が選定した前記制御対象装置の監視を行う管理手段と、
前記判断手段の判断をもとに、前記制御対象装置に対応する前記電源供給装置への電源制御の指示を行う電源制御指示手段と、
を有し、
前記電源供給装置は、
前記ネットワーク管理サーバからの電源制御の指示に基づき、前記制御対象装置への電源のＯＮ／ＯＦＦを行う電源ＯＮ／ＯＦＦ手段を有することを特徴とする電源管理システム。
【請求項１３】
前記スケジュール情報は、
電源制御を行う時間帯を示す情報である時間帯情報と、
前記時間帯情報が示す時間帯に制御を行う制御対象装置を特定する情報であるスケジュール制御対象装置情報と、
特定した前記制御対象装置への電源制御および監視の手順を示す情報であるスケジュール制御手順情報と、
を有し、
前記選定手段は、前記スケジュール制御対象装置情報を参照して制御対象装置を選定し、スケジュール制御手順情報を参照して、前記制御対象装置への電源制御および監視の手順を選定する手段を有することを特徴とする請求項１２記載の電源管理システム。
【請求項１４】
前記ネットワーク管理サーバとネットワークを介して接続され、前記制御対象装置の電源制御を行う電源指示制御スイッチをさらに有し、
前記電源指示制御スイッチは、
前記制御対象装置の電源のＯＮ／ＯＦＦに関する情報である電源制御情報と、
前記電源制御情報を前記ネットワーク管理サーバに送信する送信手段と、
を有し、
前記ネットワーク管理サーバは、
前記電源制御情報を受信する受信手段と、
受信した前記電源制御情報をもとに、電源指示制御スイッチに対応する制御対象装置を特定する解析手段と、
をさらに有し、
前記制御ポリシーデータベースは、
前記受信手段が前記電源制御情報を受信した場合の電源制御および監視の手順に関する情報である例外処理情報を有し、
前記選定手段は、
前記受信手段が前記電源制御情報を受信した場合に、前記スケジュール制御指示手段による指示に優先して前記スケジュール情報の前記例外処理情報を参照して電源制御および監視の手順を選定する手段を有することを特徴とする請求項１２記載の電源管理システム。
【請求項１５】
前記例外処理情報は、
例外処理を行う条件を示す情報である例外処理条件情報と、
例外処理を行う制御対象装置および例外処理の内容を示す情報である例外処理内容情報と、
例外処理の手順を示す情報である例外処理制御情報と、
を有し、
前記選定手段は、前記例外処理条件情報を参照して例外処理を行うか否かを判断し、前記例外処理内容情報を参照して制御対象装置を選定し、前記例外処理制御情報を参照して、前記制御対象装置への電源制御および監視の手順を選定する手段を有することを特徴とする請求項１４記載の電源管理システム。
【請求項１６】
前記判断手段は、
前記制御対象装置が利用中であると判断した場合には、少なくとも利用が終了するまでは、前記制御対象装置の電源をＯＦＦにする制御を行う判断をしないことを特徴とする請求項１０〜１５のいずれかに記載の電源管理システム。
【請求項１７】
前記電源供給装置は、前記制御対象装置を前記ネットワークに接続する機能を兼ねた給電式ネットワーク装置であることを特徴とする請求項１０〜１６のいずれか一項に記載の電源管理システム。
【発明の詳細な説明】
【技術分野】
【０００１】
本発明は、ネットワーク管理サーバおよびネットワーク管理サーバを機能させるためのプログラム、ネットワーク管理サーバを用いたネットワーク管理方法、およびネットワーク管理システムに関する。
【背景技術】
【０００２】
近年、通信技術の発達により、サーバ等を用いて、ネットワーク等を介して他の端末装置をリモート管理する技術が開発されている。
【０００３】
例えば、他の端末装置の電源のＯＮ／ＯＦＦをリモート管理する技術として、Ｗａｋｅｕｐ−Ｏｎ−ＬＡＮと呼ばれる技術が知られている。
【０００４】
Ｗａｋｅｕｐ−Ｏｎ−ＬＡＮとは、ＬＡＮ（ローカルエリアネットワーク）上の端末装置を、ＬＡＮで接続された他の端末装置を用いて電源のＯＮ／ＯＦＦを制御する技術である。
【０００５】
例えば、特許文献１の図３には、Ｗａｋｅｕｐ−Ｏｎ−ＬＡＮ機能を備えた端末装置において、一定のスケジュールに従って電源投入を行う技術が開示されている（特許文献１）。
【０００６】
【特許文献１】特開２００２−４４１７７号公報
【発明の開示】
【発明が解決しようとする課題】
【０００７】
しかしながら、このようなシステムでは、電源制御の対象となる端末が、ネットワーク監視の対象となっている場合、電源を切断すると、監視装置が電源の切断をネットワーク障害として誤検出する恐れがあり、ネットワーク管理側での監視停止をあらかじめ行っておく必要があるという問題があった。
【０００８】
また、このようなシステムでは、Ｗａｋｅｕｐ−Ｏｎ−ＬＡＮ機能を持たない機器、具体的には天井に設置されている無線アクセスポイントや床下に設置されている制御対象装置（ネットワーク装置）、ルータ、Ｌ２／Ｌ３スイッチ等に対しては適用できないという問題があった。
【０００９】
本発明は、このような問題に鑑みてなされたもので、その目的は、ネットワーク障害の誤検出の原因となる恐れがなく、かつ、装置の種類を問わずに電源のリモート制御が可能な電源管理サーバを提供することにある。
【課題を解決するための手段】
【００１０】
前述した目的を達成するために、第１の発明は、ネットワークに接続され、ネットワークに接続された電源供給装置から電源の供給を受ける制御対象装置に対する監視と電源制御を行うネットワーク管理サーバであって、前記制御対象装置の電源制御に関する情報を有する制御ポリシーデータベースと、前記制御ポリシーデータベースを参照して、電源制御および監視を行う制御対象装置、および前記制御対象装置への電源制御および監視の手順を選定する選定手段と、選定した前記制御対象装置の利用状況を確認して前記電源制御の可否を判断する判断手段と、前記判断手段の判断をもとに、前記選定手段が選定した前記制御対象装置の監視を行う管理手段と、前記判断手段の判断をもとに、前記制御対象装置に対応する前記電源供給装置への電源制御の指示を行う電源制御指示手段と、を有することを特徴とするネットワーク管理サーバである。
【００１１】
第２の発明は、コンピュータを第１の発明に記載のネットワーク管理サーバとして動作させるためのプログラムである。
【００１２】
第３の発明は、第１の発明に記載のネットワーク管理サーバを用いたネットワークおよび電源管理方法である。
【００１３】
第４の発明は、ネットワークに接続された制御対象装置を監視するネットワーク管理サーバと、前記ネットワーク管理サーバとネットワークを介して接続され、前記制御対象装置に電源を供給する電源供給装置と、を有し、前記サーバは、前記制御対象装置の電源制御に関する情報を有する制御ポリシーデータベースと、前記制御ポリシーデータベースを参照して、電源制御および監視を行う制御対象装置、および前記制御対象装置への電源制御および監視の手順を選定する選定手段と、選定した前記制御対象装置の利用状況を確認して前記電源制御の可否を判断する判断手段と、前記判断手段の判断をもとに、前記選定手段が選定した前記制御対象装置の監視を行う管理手段と、前記判断手段の判断をもとに、前記制御対象装置に対応する前記電源供給装置への電源制御の指示を行う電源制御指示手段と、を有し、電源供給装置は、前記サーバからの電源制御の指示に基づき、前記制御対象装置への電源のＯＮ／ＯＦＦを行う電源ＯＮ／ＯＦＦ手段を有することを特徴とする電源管理システムである。
【発明の効果】
【００１４】
本発明によれば、ネットワーク障害の誤検出の原因となる恐れがなく、かつ、装置の種類を問わずに電源のリモート制御が可能な電源管理システムを提供することができる。
【発明を実施するための最良の形態】
【００１５】
以下、図面に基づいて本発明に好適な実施形態を詳細に説明する。
【００１６】
まず、図１を参照して、本発明の実施形態に係る電源管理システム１の概略構成を説明する。
【００１７】
図１に示すように、電源管理システム１は、後述する制御対象装置９ａ、９ｂ、１３ａ、１３ｂに対する監視および電源の（リモート）制御を行うネットワーク管理サーバ３、電源のＯＮ／ＯＦＦを示す電源制御情報をネットワーク管理サーバ３に送信するための電源制御指示スイッチ７ａ、７ｂ、制御対象装置９ａ、９ｂおよび制御対象装置１３ａ、１３ｂに電源供給を行う電源供給装置１１ａ、１１ｂを有し、これらはネットワーク５を介して接続されている。
【００１８】
さらに、ネットワーク５にはネットワーク管理サーバ３に監視および電源制御される制御対象装置９ａ、９ｂ、１３ａ、１３ｂが接続されている。
【００１９】
具体的には、ネットワーク管理サーバ３は後述するハードウェア構成を有する装置である。
【００２０】
電源制御指示スイッチ７ａ、７ｂは例えば物理的なスイッチであるが、スイッチのＯＮ、ＯＦＦにより、電源制御情報を送信可能なものであれば、構造は特に限定されない。
【００２１】
電源供給装置１１ａ、１１ｂは、制御対象装置９ａ、９ｂおよび制御対象装置１３ａ、１３ｂに電源を供給可能なものであれば、構造は特に限定されず、電源供給装置１１ａのように制御対象装置に電源を供給するのみの構造でもよく、また、電源供給装置１１ｂのように、制御対象装置をネットワーク５に接続する機能を兼ねた給電式ネットワーク装置であってもよい。なお、電源供給装置１１ａ、１１ｂの構造は後述する。
【００２２】
制御対象装置９ａ、９ｂ、１３ａ、１３ｂは電源管理システム１による電源制御を受ける装置であり、ネットワーク５に接続され、かつネットワーク５に接続された電源供給装置１１ａ、１１ｂから電源の供給を受けるものであれば特に構造は限定されない。
【００２３】
例えば、コンピュータ等の端末装置はもちろんのこと、ＨＵＢ（ハブ）、ルータ、無線アクセスポイント等でもよい。
【００２４】
次に、電源管理システム１を構成する装置のハードウェア構成の一例について、図１〜図６を参照して説明する。
【００２５】
なお、電源制御指示スイッチ７ａ、７ｂの構造は、前述の通りであり、説明を省略する。
【００２６】
まず、ネットワーク管理サーバ３のハードウェア構成について、図２〜図３を参照して説明する。
【００２７】
図２に示すように、ネットワーク管理サーバ３は、ＩＣＭＰ（Internet Control Message Protocol）およびＳＮＭＰ（Simple Network Management Protocol）を用いて定期的に電源供給装置１１ａ、１１ｂおよび、制御対象装置（ネットワーク装置）９ａ、９ｂ、１３ａ、１３ｂの状態監視を行うための管理手段としてのネットワーク状態管理部２０５、電源供給装置１１ａ、１１ｂへの電源制御の指示を出すための電源制御指示手段としての電源制御部２０６、ネットワーク状態管理部２０５および電源制御部２０６の駆動を制御する判断手段としての制御判断部２０４を有する。
【００２８】
さらに、ネットワーク管理サーバ３は、監視対象となる制御対象装置（ネットワーク装置）９ａ、９ｂ、１３ａ、１３ｂと電源供給装置１１ａ、１１ｂの接続構成および、電源制御のための手順に関する情報、即ち電源制御に関する情報を有するデータベースである制御ポリシーデータベース２０３、制御ポリシーデータベース２０３を検索するための選定手段としての制御ポリシー検索部２０２、電源制御指示スイッチ７ａ、７ｂから送信された電源制御情報を受信して発信元を解析する受信手段および解析手段としての電源制御情報受信部２０１を有する。
【００２９】
図３に示すように、制御ポリシーデータベース２０３はネットワーク５に接続された電源制御指示スイッチを示す情報であるスイッチ名情報２１０、電源制御指示スイッチに対応する制御対象装置を示す情報である制御対象装置情報２１１、制御対象装置の電源制御および監視制御を行う手順に関する情報、具体的には制御対象装置に対応する電源供給装置（制御対象装置に接続された電源供給装置）とその制御の手順（方法）に関する情報である制御手順情報２１２を有している。
【００３０】
次に、電源供給装置１１ａ、１１ｂのハードウェア構成の一例について、図４〜図５を参照して説明する。
【００３１】
図４に示すように、電源供給装置１１ａは、制御部４１、記憶部４５、通信部４９、電源供給部４７等がバス３２ａを介して互いに接続されている。
【００３２】
制御部４１は、ＣＰＵ（Central Processing Unit）、ＲＯＭ（Read Only Memory）、ＲＡＭ（Random Access Memory）等で構成され、記憶部４５に格納されたプログラムに従って、バス３２ａを介して接続された各装置を駆動制御する。
【００３３】
電源供給部４７は、接続された制御対象装置９ａ、９ｂに電源を供給する。
【００３４】
記憶部４５には、電源供給装置１１ａの各構成部分を駆動制御するための制御プログラム１０１ａが格納されている。
【００３５】
通信部４９はネットワーク５を介して他の装置と通信を行う部分であり、ケーブル４９ａを介してネットワーク５に接続されている。
【００３６】
一方、図５に示すように、電源供給装置１１ｂは、制御部６１、記憶部６５、通信部６９、ポート入出力部（電源供給部）６３ａ、６３ｂ等がバス３２ｂを介して互いに接続されている。
【００３７】
制御部４１は、記憶部６５に格納されたプログラムに従って、バス３２ｂを介して接続された各装置を駆動制御する。
【００３８】
ポート入出力部（電源供給部）６３ａ、６３ｂは、制御対象装置１３ａ、１３ｂに電源を供給するとともに、制御対象装置１３ａ、１３ｂをネットワーク５に接続するための部分である。
【００３９】
即ち、電源供給装置１１ｂは、制御対象装置１３ａ、１３ｂに電源を供給するだけでなく、ネットワーク５に接続するための中継器としての機能も有している。
【００４０】
記憶部６５には、電源供給装置１１ｂの各構成部分を駆動制御するための制御プログラム１０１ｂが格納されている。
【００４１】
通信部６９はネットワーク５を介して他の装置と通信を行う部分であり、ケーブル６９ａを介してネットワーク５に接続されている。
【００４２】
次に、制御対象装置９ａ、９ｂ、１３ａ、１３ｂのハードウェア構成の一例について、図６を参照して説明する。
【００４３】
前述のように、制御対象装置９ａ、９ｂ、１３ａ、１３ｂのハードウェア構成は、ネットワーク５に接続され、かつネットワーク５に接続された電源供給装置１１ａ、１１ｂから電源の供給を受けるものであれば特に構造は限定されない。
【００４４】
即ち、コンピュータ等の端末装置はもちろんのこと、ＨＵＢ（ハブ）、ルータ、無線アクセスポイント等でもよい。
【００４５】
例えば、制御対象装置９ａがＨＵＢの場合のハードウェア構成は、図６に示すように、制御部５１、記憶部５５、通信部５９、ポート入出力部５３ａ、５３ｂ、５３ｃ等がバス３２ｃを介して互いに接続されている。
【００４６】
制御部５１は、記憶部５５に格納されたプログラムに従って、バス３２ｃを介して接続された各装置を駆動制御する。
【００４７】
ポート入出力部５３ａ、５３ｂ、５３ｃは、図示しない他の端末装置等をネットワーク５に接続するためのポートである。
【００４８】
通信部５９はネットワーク５を介して他の装置と通信を行う部分であり、ケーブル５９ａを介してネットワーク５に接続されている。
【００４９】
なお、記憶部５５の詳細は説明を省略する。
【００５０】
次に、電源管理システム１の動作について、図７および図８を参照して説明する。
【００５１】
最初に、電源管理システム１の全体（電源制御指示スイッチ７ａ、７ｂ、ネットワーク管理サーバ３、電源供給装置１１ａ、１１ｂ）の動作の概略について、図７を参照して説明する。
【００５２】
まず、電源制御指示スイッチ７ａ、７ｂがＯＮまたはＯＦＦにされると、電源制御指示スイッチ７ａ、７ｂは電源制御情報を送信する（ステップ３０１）。
【００５３】
ネットワーク管理サーバ３は、電源制御情報を受信して、電源制御情報の送信元の電源制御指示スイッチを特定する（ステップ３０２）。
【００５４】
次に、ネットワーク管理サーバ３は、送信元の電源制御指示スイッチに対応する制御対象装置（電源制御の対象となる制御対象装置）を特定し、特定した制御対象装置の電源制御、監視制御の手順を選択する（ステップ３０３）。
【００５５】
次に、ネットワーク管理サーバ３は、電源制御の対象となる制御対象装置の利用状況を確認し、利用状況から電源制御の可否を判断し（ステップ３０４）制御すると判断した場合はステップ３０５に進み、制御しないと判断した場合は、再度、ステップ３０４に進む。
【００５６】
なお、制御しないと判断する場合とは、例えば電源制御情報が電源をＯＦＦにする情報であるが、制御対象装置がネットワークを介してファイル転送を行っている最中であり、電源をＯＦＦにすると転送先の処理異常になる場合である。
【００５７】
この場合、少なくとも利用が終了するまでは、前記制御対象装置の電源をＯＦＦにする制御を行う判断はしない。
【００５８】
制御すると判断した場合は、選択した監視制御の手順により、特定した制御対象装置の監視の制御を行う（ステップ３０５）。具体的には、電源制御情報が電源をＯＦＦにする情報の場合は監視を停止し、電源をＯＮにする情報の場合は監視を開始する。
【００５９】
次に、ネットワーク管理サーバ３は、特定した制御対象装置に対応する電源供給装置（特定した制御対象装置に電源を供給している電源供給装置）に対して、電源の制御の指示、具体的には電源制御情報が電源をＯＦＦにする情報の場合は電源の供給の停止を指示し、電源をＯＮにする情報の場合は電源の供給を指示する（ステップ３０６）。
【００６０】
指示を受けた電源供給装置は、特定した制御対象装置に対して、電源の供給、もしくは電源の供給の停止を行う（ステップ３０７）。
【００６１】
このように、電源管理システム１は制御対象装置のネットワーク状態を監視するシステムと、電源を制御するシステムを統合した構成を有している。
【００６２】
そのため、電源のＯＮ、ＯＦＦ制御をネットワーク障害として誤検出する恐れはない。
【００６３】
また、電源管理システム１は制御対象装置を直接制御するのではなく、電源供給装置を介して電源制御を行っている。
【００６４】
そのため、制御対象装置９ａ、９ｂ、１３ａ、１３ｂのハードウェア構成は、ネットワーク５に接続され、かつネットワーク５に接続された電源供給装置１１ａ、１１ｂから電源の供給を受けるものであれば特に構造は限定されず、種々の装置に対して電源制御が可能である。
【００６５】
次に、電源管理システム１の動作のうち、ネットワーク管理サーバ３の動作について詳細に説明する。
【００６６】
まず、電源制御情報が送信されると、ネットワーク管理サーバ３の電源制御情報受信部２０１は電源制御情報を受信する（図８のステップ４０１、図７のステップ３０２）。
【００６７】
次に、電源制御情報受信部２０１は電源制御情報がどの電源制御指示スイッチから送信されたかを解析する（図８のステップ４０２、図７のステップ３０２）。
【００６８】
具体的には、電源制御情報にはＩＰアドレスや識別番号等の、発信元の電源制御情報の識別情報が含まれているため、この識別番号を参照して、発信元を特定する。
【００６９】
次に、制御ポリシー検索部２０２は電源制御を行う制御対象装置および電源制御、監視制御の手順を制御ポリシーデータベース２０３から取得する（図８のステップ４０３、図７のステップ３０３）。
【００７０】
具体的には、制御部３１は制御ポリシーデータベース２０３のスイッチ名情報２１０、制御対象装置情報２１１から、電源制御情報を送信した電源制御指示スイッチに対応する制御対象装置（電源制御を行う制御対象装置）を選択する。
【００７１】
さらに、制御ポリシーデータベース２０３の制御手順情報２１２から、制御対象装置に電源を供給している電源制御装置を選択し、制御対象装置の監視手順および電源供給装置への電源制御手順を取得する。
【００７２】
次に、制御判断部２０４は、ネットワーク状態管理部２０５へ電源制御対象となる制御対象装置の利用状況の確認指示を行い、ネットワーク状態管理部２０５は、電源制御対象となる制御対象装置のＭＩＢ（Management Information Base）の情報から通信処理状況などを確認する（図８のステップ４０４、図７のステップ３０４）。
【００７３】
制御判断部２０４は、電源制御対象となる制御対象装置の利用状況から電源制御の可否を判断する（図８のステップ４０５、図７のステップ３０４）。
【００７４】
電源制御を行う場合、ネットワーク状態管理部２０５は、制御対象装置への監視を制御し、電源制御部２０６は電源供給装置の電源供給を制御する（図８のステップ４０６、４０７、図７のステップ３０５、３０６）。
【００７５】
このように、第１の実施形態によれば、電源管理システム１は、ネットワーク管理サーバ３、電源制御指示スイッチ７ａ、７ｂ、電源供給装置１１ａ、１１ｂを有し、ネットワーク管理サーバ３は、電源制御指示スイッチ７ａ、７ｂから電源のＯＮ、ＯＦＦの指示が送信されると、電源制御対象となる制御対象装置の利用状況（通信処理状況）を確認し、電源制御の可否を判断してから監視制御および電源制御を行う。
【００７６】
そのため、電源制御に伴うネットワーク障害の誤検出がなく、安全な電源制御を実現できる。
【００７７】
また、第１の実施形態によれば、電源管理システム１は、制御対象装置ではなく、制御対象装置に電源を供給する電源供給装置に対して電源制御を行う構成となっている。
【００７８】
そのため、電源管理システム１は、装置の種類を問わずに電源のリモート制御が可能である。
【００７９】
また、第１の実施形態によれば、電源管理システム１は、制御ポリシーデータベース２０３が電源供給装置の制御の手順に関する情報である制御手順情報２１２を有している。
【００８０】
そのため、個々の電源供給装置の制御の手順を認識しなくてもネットワーク管理サーバ３側から電源制御（ＯＮ／ＯＦＦ操作）が行える。
【００８１】
さらに、第１の実施形態によれば、電源管理システム１は、電源制御指示スイッチ７ａ、７ｂにより別々の制御対象装置の電源制御の指示を行う構成となっている。
【００８２】
そのため、電源制御指示スイッチを複数個所に配置しての制御を行うことで、操作範囲などを限定させることができる。
【００８３】
次に、第２の実施形態に係る電源管理システム１ａについて説明する。
【００８４】
なお、第２の実施形態において、第１の実施形態と同様の機能を果たす要素については、同一の番号を付し、説明を省略する。
【００８５】
第２の実施形態に係る電源管理システム１ａは、ネットワーク管理サーバ３ａを、スケジュール制御部２０７を有する構成とし、スケジュールに従って電源制御を可能としたものである。
【００８６】
まず、ネットワーク管理サーバ３ａのハードウェア構成について図９を参照して説明する。
【００８７】
なお、電源管理システム１ａの全体構成および個々のハードウェア構成は、第１の実施形態と同様であるため、説明を省略する。
【００８８】
図９に示すように、ネットワーク管理サーバ３ａは、制御ポリシー検索部２０２にスケジュール従った処理を行うように指示をするためのスケジュール制御部２０７を、スケジュール制御手段として有している。
【００８９】
また、図１０に示すように、制御ポリシーデータベース２０３ａには、電源制御および監視制御に関するスケジュールの情報であるスケジュール情報２２７および、スケジュールに従って電源制御を行っている間に電源制御指示スイッチ７ａ、７ｂから電源のＯＮ、ＯＦＦの指示が送信された場合の電源制御および監視の手順に関する情報である例外処理情報２２８を有している。
【００９０】
スケジュール情報２２７は、制御を行う時間帯を示す情報である時間帯情報２２１、当該時間帯に制御を行う制御対象装置を示す情報であるスケジュール制御対象装置情報２２２、制御の内容、手順を示す情報であるスケジュール制御手順情報２２３を有する。
【００９１】
一方、例外処理情報２２８は、例外処理を行う条件を示す情報である例外処理条件情報２２４、例外処理の内容を示す例外処理内容情報２２５、例外処理の手順（制御の内容、方法）を示す情報である例外処理制御情報２２６を有する。
【００９２】
例えば図１０ではスケジュール情報２２７には「２３時〜７時までは、全制御対象装置の電源を（電源供給装置を制御して）ＯＦＦにする処理を行う（監視制御も停止する）」旨の情報が記載されており、例外処理情報２２８には「電源制御指示スイッチ７ａがＯＮになった場合は制御対象装置９ａに（電源供給装置を１１ａを制御して）電源を供給する（制御対象装置９ａのみを監視制御する）」旨の情報が記載されている。
【００９３】
次に、電源管理システム１ａの動作について、図１１から図１４を参照して説明する。
【００９４】
最初に、スケジュール情報２２７に従って処理を行う際の電源管理システム１ａの全体（電源制御指示スイッチ７ａ、７ｂ、ネットワーク管理サーバ３ａ、電源供給装置１１ａ、１１ｂ）の動作の概略について、図１１を参照して説明する。
【００９５】
また、電源制御指示スイッチ７ａ、７ｂの動作は、後述する例外処理の際に説明するため、ここでは説明を省略する。
【００９６】
まず、スケジュールで定められた時間（図１０の例でいうと、２３時）になると、ネットワーク管理サーバ３ａは、スケジュール情報２２７に基づき電源制御の対象となる制御対象装置を特定し、特定した制御対象装置の電源制御、監視制御の手順を選択する（ステップ５０１）。
【００９７】
次に、ネットワーク管理サーバ３ａは、電源制御の対象となる制御対象装置の利用状況を確認し、利用状況から電源制御の可否を判断し（ステップ５０２）制御すると判断した場合はステップ５０３に進み、制御しないと判断した場合は、再度、ステップ５０２に進む。
【００９８】
なお、制御しないと判断する場合とは、例えば電源制御情報が電源をＯＦＦにする情報であるが、制御対象装置がネットワーク５を介してファイル転送を行っている最中であり、電源をＯＦＦにすると転送先の処理異常になる場合である。
【００９９】
制御すると判断した場合は、選択した監視制御の手順により、特定した制御対象装置の監視を行う（ステップ５０３）。
【０１００】
次に、ネットワーク管理サーバ３ａは、特定した制御対象装置に対応する電源供給装置（特定した制御対象装置に電源を供給している電源供給装置）に対して、電源の供給、もしくは電源の供給の停止を指示する（ステップ５０４）。
【０１０１】
指示を受けた電源供給装置は、特定した制御対象装置に対して、電源の供給、もしくは電源の供給の停止を行う（ステップ５０５）。
【０１０２】
このように、電源管理システム１ａは制御対象装置のネットワーク状態を監視するシステムと、電源を制御するシステムを統合した構成を有している。
【０１０３】
そのため、電源のＯＮ、ＯＦＦをネットワーク障害として誤検出する恐れはない。
【０１０４】
また、電源管理システム１ａは制御対象装置を直接制御するのではなく、電源供給装置を介して電源制御を行っている。
【０１０５】
そのため、制御対象装置９ａ、９ｂ、１３ａ、１３ｂのハードウェア構成は、ネットワーク５に接続され、かつネットワーク５に接続された電源供給装置１１ａ、１１ｂから電源の供給を受けるものであれば特に構造は限定されず、種々の装置に対して電源制御が可能である。
【０１０６】
次に、スケジュール情報２２７に従って処理を行う際の電源管理システム１ａの動作のうち、ネットワーク管理サーバ３ａの動作について図１２を参照して詳細に説明する。
【０１０７】
なお、制御ポリシーデータベース２０３ａには、あらかじめスケジュール情報２２７および例外処理情報２２８が登録されているとする（ステップ６０１）。
【０１０８】
まず、スケジュール制御部２０７は、スケジュール情報２２７で定められた時間（前述の例でいうと、２３時）になると、制御ポリシー検索部２０２に電源制御を行う指示を出し（図１２のステップ６０２、図１１のステップ５０１）、制御ポリシー検索部２０２は、制御ポリシーデータベース２０３ａのスケジュール情報２２７から電源制御を行う制御対象装置および制御の手順を取得する（図１２のステップ６０３、図１１のステップ５０１）。
【０１０９】
具体的には、スケジュール制御部２０７は、制御ポリシーデータベース２０３ａの時間帯情報２２１に定められた時間になると、制御ポリシー検索部２０２に電源制御を行う指示を出し、制御ポリシー検索部２０２は、スケジュール制御対象装置情報２２２、スケジュール制御手順情報２２３の情報から、電源制御を行う制御対象装置および制御対象装置に電源を供給している電源制御装置を選択し、制御対象装置の電源制御（ＯＮ／ＯＦＦ）および監視制御をすることと電源供給装置への電源制御手順を取得する。
【０１１０】
次に、制御判断部２０４は、ネットワーク状態管理部２０５へ電源制御対象となる制御対象装置の利用状況の確認指示を行い、ネットワーク状態管理部２０５は、電源制御対象となる制御対象装置のＭＩＢ（Management Information Base）の情報から通信処理状況などを確認する（図１２のステップ６０４、図１１のステップ５０２）。
【０１１１】
制御判断部２０４は、電源制御対象となる制御対象装置の利用状況から電源制御の可否を判断する（図１２のステップ６０５、図１１のステップ５０２）。
【０１１２】
電源制御を行う場合、ネットワーク状態管理部２０５は、制御対象装置のネットワーク監視を制御し（図１２のステップ６０６、図１１のステップ５０３）、電源制御部２０６は電源供給装置の電源供給を制御する（図１２のステップ６０７、図１１のステップ５０４）。
【０１１３】
次に、スケジュール情報２２７に従って電源制御および監視制御を行っている最中に電源制御指示スイッチ７ａがＯＮにされた場合、即ち例外処理の条件が成立した場合の電源管理システム１ａ全体の動作について、図１３を用いて説明する。
【０１１４】
まず、電源制御指示スイッチ７ａがＯＮにされると、電源制御指示スイッチ７ａは電源制御情報を送信する（ステップ７０１）。
【０１１５】
ネットワーク管理サーバ３ａは、電源制御情報を受信し、電源制御情報の送信元の電源制御指示スイッチを特定する（ステップ７０２）。
【０１１６】
次に、ネットワーク管理サーバ３ａは、制御ポリシーデータベース２０３ａに記載された例外処理情報２２８に基づき、送信元の電源制御指示スイッチに対応する制御対象装置（電源制御の対象となる制御対象装置）を特定し、特定した制御対象装置の電源制御、監視制御の手順を選択する（ステップ７０３）。
【０１１７】
次に、ネットワーク管理サーバ３ａは、電源制御の対象となる制御対象装置の利用状況を確認し、利用状況から電源制御の可否を判断し（ステップ７０４）制御すると判断した場合はステップ７０５に進み、制御しないと判断した場合は、再度、ステップ７０４に進む。
【０１１８】
制御すると判断した場合は、選択した監視制御の手順により、特定した制御対象装置の監視を行う（ステップ７０５）。
【０１１９】
次に、ネットワーク管理サーバ３ａは、特定した制御対象装置に対応する電源供給装置（特定した制御対象装置９ａに電源を供給している電源供給装置１１ａ）に対して、電源の供給（電源制御）を指示する（ステップ７０６）。
【０１２０】
指示を受けた電源供給装置は、特定した制御対象装置９ａに対して、電源の供給を行う（ステップ７０７）。
【０１２１】
このように、ネットワーク管理サーバ３ａは、スケジュール情報２２７に従って電源制御および監視制御を行っている最中に電源制御指示スイッチ７ａがＯＮにされた場合（例外処理の条件が成立した場合）は、スケジュール情報２２７に基づく処理よりも、例外処理情報２２８に基づく処理を優先する。
【０１２２】
次に、例外処理を行う際の電源管理システム１の動作のうち、ネットワーク管理サーバ３ａの動作について図１４を参照して詳細に説明する。
【０１２３】
なお、ネットワーク管理サーバ３ａの制御ポリシーデータベース２０３ａには、あらかじめスケジュール情報２２７および例外処理情報２２８が登録されているとする。
【０１２４】
電源制御情報が送信されると、ネットワーク管理サーバ３ａの電源制御情報受信部２０１は電源制御情報を受信する（図１４のステップ８０１、図１３のステップ７０２）。
【０１２５】
次に、電源制御情報受信部２０１は電源制御情報がどの電源制御指示スイッチ７ａから送信されたかを解析する（図１４のステップ８０２、図１３のステップ７０２）。
【０１２６】
具体的には、電源制御情報にはＩＰアドレスや識別番号等の、発信元の電源制御情報の識別情報が含まれているため、この識別番号を参照して、発信元を特定する。
【０１２７】
次に、制御ポリシー検索部２０２は、制御ポリシーデータベース２０３ａに記載された例外処理情報２２８に基づき、送信元の電源制御指示スイッチに対応する制御対象装置（例外処理の対象となる制御対象装置）を特定し、特定した制御対象装置の電源制御、監視制御の手順を選択する（図１４のステップ８０３、図１３のステップ７０３）。
【０１２８】
具体的には例外処理条件情報２２４に基づき、送信元の電源制御指示スイッチと例外処理条件情報２２４を照合して例外処理を行うことを決定し、例外処理内容情報２２５、例外処理制御情報２２６を参照して、例外処理を行う制御対象装置９ａおよび電源制御を行う対象である電源供給装置１１ａとその手順に関する情報を取得する。
【０１２９】
なお、例外処理の条件が成立しない場合、図１０でいうと、電源制御スイッチ７ｂが押された場合は、電源制御情報は無視して、例外処理を行わずに、スケジュール情報２２７に従って制御を行う。
【０１３０】
次に、制御判断部２０４は、ネットワーク状態管理部２０５へ電源制御対象となる制御対象装置の利用状況の確認指示を行い、ネットワーク状態管理部２０５は、電源制御対象となる制御対象装置のＭＩＢ（Management Information Base）の情報から通信処理状況などを確認する（図１４のステップ８０４、図１３のステップ７０４）。
【０１３１】
制御判断部は、電源制御対象となる制御対象装置の利用状況から電源制御の可否を判断する（図１４のステップ８０５、図１３のステップ７０４）。
【０１３２】
電源制御を行う場合、ネットワーク状態管理部２０５は、制御対象装置の監視の制御を実行し（図１４のステップ８０６、図１３のステップ７０５）、電源制御部２０６は電源供給装置の電源供給を制御する（図１４のステップ８０７、図１３のステップ７０６）。
【０１３３】
このように、例外処理条件を満たす場合には例外処理を優先することにより、スケジュール情報２２７に従って制御を行っている間にも、例外的に一部の電源制御を行うことができ、緊急時に、一部の制御対象装置に対してスケジュール情報２２７とは異なる制御を行うことができる。
【０１３４】
このように、第２の実施形態によれば、電源管理システム１ａは、ネットワーク管理サーバ３ａ、電源制御指示スイッチ７ａ、７ｂ、電源供給装置１１ａ、１１ｂを有し、ネットワーク管理サーバ３ａは、電源制御指示スイッチ７ａから電源のＯＮ、ＯＦＦの指示が送信されると、電源制御対象となる制御対象装置の利用状況（通信処理状況）を確認し、電源制御の可否を判断してから監視制御および電源制御を行う。
【０１３５】
そのため、第１の実施形態と同様の効果を奏する。
【０１３６】
また、第２の実施形態によれば、電源管理システム１ａは、スケジュール情報２２７に基づき電源制御を行い、スケジュール情報２２７に基づく電源制御中に電源制御指示スイッチ７ａから電源のＯＮ、ＯＦＦの指示が送信された場合は例外処理情報２２８に基づき、例外処理を行う。
【０１３７】
そのため、スケジュール情報２２７に基づく電源制御と例外処理情報２２８に基づく例外処理の両方をネットワーク管理サーバ３ａが行うことでき、緊急時に、一部の制御対象装置に対して例外処理情報２２８に基づき例外処理（スケジュール情報２２７とは異なる制御）を行うことができる。
【産業上の利用可能性】
【０１３８】
上記した実施形態では、本発明をハブの電源制御に適用した場合について説明したが、本発明は、何等、これに限定されることなく、ネットワーク５に接続され、かつネットワーク５に接続された電源供給装置から電源の供給を受けるすべての制御対象装置に適用することができる。
【０１３９】
例えば、本発明では図２および図９でネットワーク管理サーバ３およびネットワーク管理サーバ３ａのハードウェア構成を開示しているが、これをソフトウェア構成とし、コンピュータを用いてＣＰＵに当該ソフトウェアの指示に従って本発明を実行させることも可能である。
【図面の簡単な説明】
【０１４０】
【図１】電源管理システム１の構成を示す概略図である。
【図２】ネットワーク管理サーバ３を示すブロック図である。
【図３】制御ポリシーデータベース２０３の構成を示す図である。
【図４】電源供給装置１１ａを示すブロック図である。
【図５】電源供給装置１１ｂを示すブロック図である。
【図６】制御対象装置９ａを示すブロック図の一例である。
【図７】電源管理システム１の動作を示すフローチャートである。
【図８】図７において、ネットワーク管理サーバ３の動作を示すフローチャートである。
【図９】ネットワーク管理サーバ３ａを示すブロック図である。
【図１０】制御ポリシーデータベース２０３ａの構成を示す図である。
【図１１】電源管理システム１ａの動作を示すフローチャートである。
【図１２】図１１において、ネットワーク管理サーバ３ａの動作を示すフローチャートである。
【図１３】例外処理の際の電源管理システム１ａの動作を示すフローチャートである。
【図１４】図１３において、ネットワーク管理サーバ３ａの動作を示すフローチャートである。
【符号の説明】
【０１４１】
１…………電源管理システム
３…………ネットワーク管理サーバ
５…………ネットワーク
７ａ………電源制御指示スイッチ
９ａ………制御対象装置
１１ａ……電源供給装置
１３ａ……制御対象装置
２０１……電源制御情報受信部
２０２……制御ポリシー検索部
２０３……制御ポリシーデータベース
２０４……制御判断部
２０５……ネットワーク状態管理部
２０６……電源制御部
２０７……スケジュール制御部
２２７……スケジュール情報
２２８……例外処理情報
【図１】
0004826829.tif 000002
【図２】
0004826829.tif 000003
【図３】
0004826829.tif 000004
【図４】
0004826829.tif 000005
【図５】
0004826829.tif 000006
【図６】
0004826829.tif 000007
【図７】
0004826829.tif 000008
【図８】
0004826829.tif 000009
【図９】
0004826829.tif 000010
【図１０】
0004826829.tif 000011
【図１１】
0004826829.tif 000012
【図１２】
0004826829.tif 000013
【図１３】
0004826829.tif 000014
【図１４】
0004826829.tif 000015